(57)【要約】  本発明は、自動車用の前部座席乗員拘束装置に関し、自動車シート（２）の背もたれ（３）から突出形成され、前部自動車シートに着座している乗員に面する側とは反対側に外側面（４ａ）を有する背もたれサイドエレメント（４）と、自動車に装着された状態につき、自動車の外部空間（Ａ）に面する外側面（５ａ）と、自動車の外部空間（Ａ）とは反対側の内側面（５ｂ）とを有し、背もたれサイドエレメント（４）の外側面（４ａ）に面している自動車の支持構造（５）と、背もたれサイドエレメント（４）の外側面（４ａ）に配置されていることが好ましく、外部空間（Ａ）から支持構造（５）の外側面（５ａ）に作用する力から乗員（Ｐ）を保護するために膨張可能となるエアバッグ（６）とを有し、エアバッグ（６）が、膨張状態において、支持構造（５）の内側面（５ｂ）に支持され、支持構造（５）の内側面（５ｂ）から背もたれサイドエレメント（４）の外側面（４ａ）に向かう反力（Ｆ）を背もたれサイドエレメント（４）の外側面（４ａ）に加える。本発明によると、外部空間（Ａ）から支持構造（５）の外側面（５ａ）への差し迫った力の作用を検出する衝突前検知装置（７）が設けられ、衝撃力の作用が検出されると、この力によって、背もたれ（３）に対して交差する膨張方向（Ｒ）への背もたれサイドエレメント（４）の膨張が作動する。【選択図】    図７Ｂ
2009520627.tif 000002
【特許請求の範囲】
【請求項１】
自動車シート（２）の背もたれ（３）から突出形成され、前記自動車シート（２）に正しく着座している乗員（Ｐ）に面する側とは反対側に外側面（４ａ）を有し、当該乗員（Ｐ）を横方向に支持する背もたれサイドチーク部（４）と、
自動車に装着された状態につき、自動車の外部空間（Ａ）に面する外側面（５ａ）と、自動車の外部空間（Ａ）とは反対側の内側面（５ｂ）とを有し、前記背もたれサイドチーク部（４）の前記外側面（４ａ）に面している自動車の支持構造（５）と、
自動車シート（２）に配置され、外部空間（Ａ）から前記支持構造（５）の前記外側面（５ａ）に力が加わる前に乗員（Ｐ）を保護するために膨張可能となるエアバッグ（６）とを有し、前記エアバッグ（６）が、膨張状態において、前記支持構造（５）の前記内側面（５ｂ）に支持され、前記支持構造（５）の前記内側面（５ｂ）から前記背もたれサイドチーク部（４）の前記外側面（４ａ）に向かう反力（Ｆ）を前記背もたれサイドチーク部（４）の前記外側面（４ａ）に加える自動車用の乗員拘束装置であって、
前記外部空間（Ａ）から前記支持構造（５）の前記外側面（５ａ）への衝撃力の印加を検出する衝突前検知装置（７）を備え、前記衝突前検知装置（７）が、衝撃力の印加を検出すると、前記支持構造（５）に沿った膨張方向（Ｒ）への前記背もたれサイドチーク部（４）の膨張を作動することを特徴とする乗員拘束装置。
【請求項２】
請求項１に記載の乗員拘束装置であって、前記背もたれサイドチーク部（４）の膨張によって、前記背もたれサイドチーク部（４）につき、乗員（Ｐ）に面し、前記支持構造（５）の前記内側面（５ｂ）に面する側とは反対側の内側面（４ｂ）が、乗員（Ｐ）の支持面を形成し、前記支持面を介して、前記エアバッグ（６）による反力（Ｆ）が乗員（Ｐ）に伝達されることを特徴とする乗員拘束装置。
【請求項３】
請求項１又は２に記載の乗員拘束装置であって、前記背もたれサイドチーク部（４）が、不作動位置と作動位置との間を前記膨張方向（Ｒ）に沿って前後に移動可能な背もたれサイドチーク部本体（Ｋ）を囲んでいることを特徴とする乗員拘束装置。
【請求項４】
請求項３に記載の乗員拘束装置であって、前記背もたれサイドチーク部本体（Ｋ）が前記不作動位置から前記作動位置へ移動することによって、前記背もたれサイドチーク部（４）が前記膨張方向（Ｒ）に沿って膨張することを特徴とする乗員拘束装置。
【請求項５】
請求項１から４のいずれか１項に記載の乗員拘束装置であって、前記エアバッグ（６）が、前記背もたれサイドチーク部（４）の前記外側面（４ａ）に配置されていることを特徴とする乗員拘束装置。
【請求項６】
請求項１から５のいずれか１項に記載の乗員拘束装置であって、エアバッグパッケージ（Ｍ）を支持するモジュールサポート（Ｔ）が、少なくとも前記エアバッグ（６）を備えていることを特徴とする乗員拘束装置。
【請求項７】
請求項１から６のいずれか１項に係る乗員拘束装置であって、前記エアバッグ（６）を膨張させるためのガス発生装置（Ｇ）を備えていることを特徴とする乗員拘束装置。
【請求項８】
請求項６ないし７に記載の乗員拘束装置であって、前記エアバッグパッケージ（Ｍ）が前記ガス発生装置（Ｇ）を備えていることを特徴とする乗員拘束装置。
【請求項９】
請求項３、４のいずれか一方、及び、請求項６、または、請求項６に係る請求項７、８のいずれか一方に記載の乗員拘束装置であって、前記背もたれサイドチーク部本体（Ｋ）が、前記エアバッグパッケージ（Ｍ）とともに、前記モジュールサポート（Ｔ）を備えていることを特徴とする乗員拘束装置。
【請求項１０】
請求項１から９のいずれか１項に記載の乗員拘束装置であって、前記背もたれ（３）が、前記背もたれ（３）の基体として背もたれフレーム（Ｌ）を有することを特徴とする乗員拘束装置。
【請求項１１】
請求項１０及び請求項３、または、請求項３に係る請求項４から９のいずれか１項に記載の乗員拘束装置であって、前記背もたれサイドチーク部本体（Ｋ）が、前記不作動位置から前記作動位置へ移動するように、前記背もたれフレーム（Ｌ）に移動可能に取り付けられていることを特徴とする乗員拘束装置。
【請求項１２】
請求項１１に記載の乗員拘束装置であって、前記背もたれサイドチーク部本体（Ｋ）が、第１及び第２レバー（Ｈ，Ｈ’）を介して前記背もたれフレーム（Ｌ）に移動可能に取り付けられ、前記２つのレバー（Ｈ，Ｈ’）は、それぞれ一方の端部（Ｅ）を介して前記背もたれサイドチーク部本体（Ｋ）に回動可能に取り付けられ、かつ、他方の端部（Ｅ’）を介して前記背もたれフレーム（Ｌ）に回動可能に取り付けられていることを特徴とする乗員拘束装置。
【請求項１３】
請求項１２に記載の乗員拘束装置であって、前記２つのレバー（Ｈ，Ｈ’）が、前記両端部（Ｅ，Ｅ’）を互いに接続するそれぞれの中央部（１０）を介して互いに相対回動可能に固定されていることを特徴とする乗員拘束装置。
【請求項１４】
請求項１２に記載の乗員拘束装置であって、前記２つのレバー（Ｈ，Ｈ’）が、それぞれ前記背もたれサイドチーク部（４）に沿った軸（１５）回りに回動可能に前記背もたれフレーム（Ｌ）に取り付けられていることを特徴とする乗員拘束装置。
【請求項１５】
請求項１２から１４のいずれか１項に記載の乗員拘束装置であって、前記衝突前検知装置（７）と連動し、前記支持構造（５）の前記外側面（５ａ）への衝撃力の印加が検出されると、前記２つのレバー（Ｈ，Ｈ’）の少なくとも一方、とりわけ、両レバー（Ｈ，Ｈ’）を回動させて、前記背もたれサイドチーク部本体（Ｋ）を前記不作動位置から前記作動位置へ移動するように構成されている運動発生装置（Ｂ）を備えていることを特徴とする乗員拘束装置。
【請求項１６】
請求項１１、または、請求項１１に係る請求項１１から１５のいずれか１項に記載の乗員拘束装置であって、案内手段が、前記背もたれサイドチーク部本体（Ｋ）を前記背もたれフレーム（Ｌ）に移動可能に取り付けるために設けられていることを特徴とする乗員拘束装置。
【請求項１７】
請求項１６に記載の乗員拘束装置であって、前記案内手段が、前記背もたれフレーム（Ｌ）に形成された少なくとも１つの凹部を有し、前記背もたれサイドチーク部本体（Ｋ）に形成されたピンが前記凹部に係合して、前記背もたれサイドチーク部本体（Ｋ）が前記膨張方向（Ｒ）に沿って前記背もたれフレーム（Ｌ）上を摺動可能であるように構成されていることを特徴とする乗員拘束装置。
【請求項１８】
請求項６、または、請求項６に係る請求項７から１７のいずれか１項に記載の乗員拘束装置であって、前記モジュールサポート（Ｔ）が、平面状の構成であり、前記背もたれサイドチーク部（４）に沿って延在する境界領域（Ｔ’）を有し、前記境界領域（Ｔ’）には、前記背もたれサイドチーク部（４）に沿って延在して前記エアバッグパッケージ（Ｍ）の収容体を形成する凸状湾曲部が設けられていることを特徴とする乗員拘束装置。
【請求項１９】
請求項６、または、請求項６に係る請求項７から１７のいずれか１項に記載の乗員拘束装置であって、前記モジュールサポート（Ｔ）が、前記エアバッグパッケージ（Ｍ）を囲むハウジング（Ｔ’’）として構成され、前記衝突前検知装置（７）が前記支持構造（５）の前記外側面（５ａ）への衝撃力の印加を検出すると、前記背もたれサイドチーク部（４）の前記外側面（４ａ）から前記支持構造（５）の前記内側面（５ｂ）に向かう移動方向（Ｒ’）に沿って第１位置から第２位置ヘと移動されるように構成されていることを特徴とする乗員拘束装置。
【請求項２０】
請求項１９に記載の乗員拘束装置であって、前記モジュールサポート（Ｔ’’）が、少なくとも一つの開口可能領域（２０）を有し、前記エアバッグ（６）が前記開口可能領域（２０）から自動車室内（Ｉ）に展開可能であることを特徴とする乗員拘束装置。
【請求項２１】
請求項２０に記載の乗員拘束装置であって、前記モジュールサポート（Ｔ’’）が、前記第１位置から前記第２位置へと移動する際に、前記開口可能領域（２０）が、前記支持構造（５）の前記内側面（５ｂ）と前記背もたれサイドチーク部（４）の前記外側面（４ａ）との間に位置し、前記エアバッグ（６）が、前記支持構造（５）の前記内側面（５ｂ）と前記背もたれサイドチーク部（４）の前記外側面（４ａ）との間に前記膨張方向（Ｒ）に沿って展開可能であるように構成されていることを特徴とする乗員拘束装置。
【請求項２２】
請求項１９から２１のいずれか１項に記載の乗員拘束装置であって、前記衝突前検知装置（７）と連動し、前記衝突前検知装置（７）が前記支持構造（５）の前記外側面（５ａ）への衝撃力の印加を検出すると、前記モジュールサポート（Ｔ’’）を前記第１位置から前記第２位置へ移動するように構成されている運動発生装置（Ｂ）を備えていることを特徴とする乗員拘束装置。
【請求項２３】
請求項３、または、請求項３に係る請求項４から１１のいずれか１項に記載の乗員拘束装置であって、前記背もたれサイドチーク部本体（Ｋ）がエネルギー吸収クッション（３０）を備えていることを特徴とする乗員拘束装置。
【請求項２４】
請求項２３に記載の乗員拘束装置であって、前記背もたれサイドチーク部本体（Ｋ）の前記作動位置において、前記クッション（３０）が、前記支持構造（５）の前記内側面（５ｂ）と、前記自動車シート（２）に正しく着座している乗員（Ｐ）の骨盤との間に前記膨張方向（Ｒ）に対して交差する方向に配置されていることを特徴とする乗員拘束装置。
【請求項２５】
請求項２３又は２４に記載の乗員拘束装置であって、前記クッション（３０）が、延伸方向（４０）に沿って縦方向に延在する第１アーム（５０）を少なくとも介して、前記不作動位置から前記作動位置へ回動可能であるように前記自動車シート（２）に取り付けられていることを特徴とする乗員拘束装置。
【請求項２６】
請求項２５に記載の乗員拘束装置であって、前記第１アーム（５０）が、支持構造（５）に面した前記クッション（３０）の外側面（３５）に接続領域（５１）を介して固定されていることを特徴とする乗員拘束装置。
【請求項２７】
請求項１から２６のいずれか１項に記載の乗員拘束装置であって、前記接続領域（５１）は、前記第１アーム（５０）の中央部（５２）を介して前記第１アーム（５０）の支持領域（５３）に接続され、前記第１アーム（５０）は、前記支持領域（５３）を介して、回転軸（Ｄ）回りに回動可能であるように前記自動車シート（２）のシート部（６０）に取り付けられていることを特徴とする乗員拘束装置。
【請求項２８】
請求項２６又は２７に記載の乗員拘束装置であって、前記第１アーム（５０）の自由第１端部（５４）が、接続領域（５１）から延伸方向（４０）に沿って突出し、前記第１端部（５４）が、前記背もたれサイドチーク部（４）を補強する手段を形成する可撓性の縦方向に延伸した背もたれサイドチーク支持部（７０）を介して、前記背もたれ（３）に接続され、前記背もたれサイドチーク支持部（７０）は、前記クッション（３０）が前記不作動位置から前記作動位置へ移動すると、縦方向の延伸に対して交差する方向に前記膨張方向（Ｒ）に沿って移動されることを特徴とする乗員拘束装置。
【請求項２９】
請求項２７、または、請求項２７に係る請求項２８に記載の乗員拘束装置であって、前記第１アーム（５０）の自由第２端部（５５）が、前記支持領域（５３）から前記延伸方向（４０）に沿って突出していることを特徴とする乗員拘束装置。
【請求項３０】
請求項２９に記載の乗員拘束装置であって、前記自由第２端部（５５）が、連結要素である駆動輪（８０）と噛合可能な歯部（Ｖ）を有し、前記クッション（３０）が前記不作動位置から前記作動位置へ移動するように前記第１アーム（５０）を前記回転軸（Ｄ）回りに回動させるように構成されていることを特徴とする乗員拘束装置。
【請求項３１】
請求項２９に記載の乗員拘束装置であって、前記クッション（３０）が前記不作動位置から前記作動位置へ移動するように前記第１アーム（５０）を前記回転軸（Ｄ）回りに回動させるための前記自由第２端部（５５）が、縦方向に延伸した連結要素を介して運動発生装置に接続されるように構成されていることを特徴とする乗員拘束装置。
【請求項３２】
請求項３０または３１のいずれかに記載の乗員拘束装置であって、前記衝突前検知装置（７）と連動し、前記衝突前検知装置（７）が前記支持構造（５）の前記外側面（５ａ）への衝撃力の印加を検出すると、前記連結要素（８０）を駆動して前記クッション（３０）を前記不作動位置から前記作動位置へ移動するように構成されている運動発生装置（Ｂ’）を備えていることを特徴とする乗員拘束装置。
【請求項３３】
請求項２３から３２のいずれか１項に記載の乗員拘束装置であって、前記クッション（３０）を前記不作動位置から前記作動位置へ案内するために、第２アーム（６５）の第１自由端（６６）を介して前記クッション（３０）に取り付けられ、かつ、第２アーム（６５）の前記第１自由端（６６）とは反対側の第２自由端（６７）を介して前記背もたれ（３）に取り付けられている第２アーム（６５）を備えていることを特徴とする乗員拘束装置。
【請求項３４】
請求項７、及び、請求項２３から３２のいずれか１項に記載の乗員拘束装置であって、前記クッション（３０）が前記ガス発生装置（Ｇ）を囲んでいることを特徴とする乗員拘束装置。
【請求項３５】
請求項６、または、請求項６に係る請求項７または８のいずれか、及び、請求項２８、または、請求項２８に係る請求項２９から３４のいずれか１項に記載の乗員拘束装置であって、前記エアバッグパッケージ（Ｍ）が前記背もたれサイドチーク支持部（７０）に固定されていることを特徴とする乗員拘束装置。
【請求項３６】
請求項１から３５のいずれか１項に記載の乗員拘束装置であって、前記エアバッグ（６）が、前記膨張状態において、前記背もたれサイドチーク部（４）を越えて前記膨張方向（Ｒ）に沿って突出し、特に、前記自動車シート（２）に正しく着座している乗員（Ｐ）が、少なくとも部分的に前記エアバッグ（６）と前記背もたれ（３）との間に前記膨張方向（Ｒ）に沿って配置されるように、前記背もたれサイドチーク部（４）まわりに配設されることを特徴とする乗員拘束装置。
【請求項３７】
請求項１から３６のいずれか１項に記載の乗員拘束装置であって、前記エアバッグ（６）が、第１チャンバ（６ａ）と、第１チャンバ（６ａ）を囲む第２チャンバ（６ｂ）を有し、前記第１チャンバ（６ａ）には、少なくとも１つの連通口が設けられ、前記第１チャンバ（６ａ）内に導入されたガスが、前記連通口から前記第２チャンバ（６ｂ）に流入し、前記エアバッグ（６）が、前記第１チャンバ（６ａ）を介してガスが充填されるように構成されていることを特徴とする乗員拘束装置。
【請求項３８】
請求項１から３７のいずれか１項に記載の乗員拘束装置であって、前記自動車シート（２）、特に、前記背もたれ（３）及び／又は前記背もたれサイドチーク部（４）が、前記反力（Ｆ）によって前記膨張方向（Ｒ）に対して交差する方向に変形し、前記エアバッグ（６）の展開スペースを維持するように構成されていることを特徴とする乗員拘束装置。
【請求項３９】
請求項１から３８のいずれか１項に記載の乗員拘束装置であって、前記自動車シート（２）が、前記膨張方向（Ｒ）に対して交差する方向に直線移動可能に自動車に取り付けられ、前記衝突前検知装置（７）が前記支持構造（５）の前記外側面（５ａ）への衝撃力の印加を検出すると、第１位置から前記支持構造（５）から離間する方向に第２位置へ移動可能であるように構成されていることを特徴とする乗員拘束装置。
【請求項４０】
請求項１から３９のいずれか１項に記載の乗員拘束装置であって、前記自動車シート（２）が、自動車に装着された状態につき、車体長手軸（ｘ）に対して平行な車軸回りに回転可能であるように自動車に取り付けられ、前記衝突前検知装置（７）が前記支持構造（５）の前記外側面（５ａ）への衝撃力の印加を検出すると、前記自動車シート（２）が、第１位置から前記支持構造（５）から離間する方向に第２位置へ回転可能であるように構成されていることを特徴とする乗員拘束装置。
【請求項４１】
請求項３９又は４０に記載の乗員拘束装置であって、前記衝突前検知装置（７）と連動し、前記衝突前検知装置（７）が前記支持構造（５）の前記外側面（５ａ）への衝撃力の印加を検出すると、前記自動車シート（２）を前記第１位置から前記第２位置へ移動するように構成されている運動発生装置（Ｂ’’’）を備えていることを特徴とする乗員拘束装置。
【請求項４２】
請求項７、または、請求項８から４１のいずれか１項に記載の乗員拘束装置であって、前記ガス発生装置（Ｇ）と連動し、前記支持構造（５）の前記外側面（５ａ）への力の印加が検出されると、前記ガス発生装置（Ｇ）を作動させて前記エアバッグ（６）を膨張させる衝突センサ（７）を備えていることを特徴とする乗員拘束装置。
【請求項４３】
請求項１から４２のいずれか１項に記載の乗員拘束装置であって、前記エアバッグ（６）が、膨張状態において、前記自動車シート（２）に正しく着座している乗員（Ｐ）に少なくとも部分的に当接し、前記支持構造（５）の前記内側面（５ｂ）から乗員（Ｐ）に向かう反力（Ｆ）を乗員（Ｐ）に加えるように構成されていることを特徴とする乗員拘束装置。
【発明の詳細な説明】
【技術分野】
【０００１】
本発明は、請求項１の前文に記載の自動車用乗員拘束装置に関する。
【背景技術】
【０００２】
このタイプの乗員拘束装置は、自動車シートの背もたれから突出形成され、自動車シートに着座している乗員に面する側とは反対側に外側面を有する背もたれサイドチーク部と、自動車に装着された状態につき、背もたれサイドチーク部の外側面に面する内側面と、自動車の外部空間に面した、内側面とは反対側の外側面とを有する自動車の支持構造とを備えている。更に、この公知の乗員拘束装置は、自動車シートに配置され、外部空間から支持構造の外側面に力が加わる前に乗員を保護するために膨張可能となるエアバッグを有し、エアバッグが、膨張状態において、支持構造の内側面に支持され、支持構造の内側面から背もたれサイドチーク部の外側面に向かう反力を背もたれサイドチーク部の外側面に加える。
【発明の開示】
【発明が解決しようとする課題】
【０００３】
本発明は、自動車シートに着座している乗員が、拘束状態において、自動車シートにより良好に保持されるように構成された、冒頭に記載したタイプの乗員拘束装置を提供するという課題に基づいている。
【課題を解決するための手段】
【０００４】
この課題は、請求項１に記載の特徴を有する乗員拘束装置によって解決される。請求項１によれば、外部空間から支持構造の外側面への衝撃力の印加（例えば、側面衝突）を検出する衝突前検知装置が設けられ、この衝突前検知装置は、衝撃力の印加（作用）を検出すると、背もたれ（「バックレスト」とも称呼）に対して交差する膨張方向に沿った背もたれサイドチーク部（「サイドサポート」とも称呼）の膨張を作動する。
【０００５】
この場合、背もたれサイドチーク部も、膨張方向に対して交差する方向に膨張可能であるか、あるいは、膨張方向に沿った膨張であるために、膨張方向に対して交差する方向に沿っての膨張は抑制される。
【０００６】
移動可能な背もたれサイドチーク部は、第１に、自動車シートに着座している乗員の側方支持の向上、ひいては、自動車シートとの連結の向上を果たす働きをし、第２に、延伸した背もたれサイドチーク部は、膨張したエアバッグと乗員との間の力の伝達体および負荷の分散体として機能する。
【０００７】
背もたれサイドチーク部によって予め位置決めされたエアバッグは、起動時に、既にほぼ作動位置に位置しているため、迅速に展開して乗員に早い段階で作用を及ぼすことが可能となる。背もたれサイドチーク部に対する展開時のエアバッグ（および、適切ならばエアバッグのカバー）の衝撃パルスによって、適切ならば、エアバッグに完全に充填される前でも、背もたれサイドチーク部と乗員との接触によって作用が生じ始める。エアバッグは、自動車シートに背もたれサイドチーク部の外側面に隣接して配置されることが好ましい。
【０００８】
負荷分散体である延伸した背もたれサイドチーク部を介したエアバッグの乗員に対する平面的な作用は、高性能エアバッグの使用を可能にし、効果的な乗員の保護に有利な効果を奏する。
【０００９】
衝突前検知装置の機能によって、エアバッグは、適切ならば、早い段階で起動でき、侵入開始前でも、背もたれサイドチーク部を介して乗員に作用し、乗員と支持構造との間のスペースを能動的に広げることが可能である。この場合、乗員は、変形する背もたれ（背もたれサイドチーク部）とエアバッグとによって押されて支持構造（例えば、ドア構造）から離間する。これによって、有効な吸収路が広がり、侵入する支持構造が乗員に当る相対速度が低下する。
【００１０】
エアバッグは、例えば、衝突物体による自動車の減速または変形を検出することによって、実際に起こっている衝突を感知するように構成された衝突センサによって起動されることが好ましい。
【００１１】
膨張可能な背もたれサイドチーク部の更なる利点は、軟質の構造体や乗員の身体部分を押し退けることによって、それ自体が位置決めに要するスペースを確保する能力を有していることである。そのため、背もたれサイドチーク部に連結されたエアバッグモジュール（エアバッグ）の十分大きい展開スペースが確保される。
【００１２】
本発明の一つの実施形態では、背もたれサイドチーク部が、不作動位置と作動位置との間を膨張方向に沿って前後に移動可能な背もたれサイドチーク部本体を有している。当該背もたれサイドチーク部本体は、背もたれサイドチーク部（適切ならばカバーを有する発泡体）の外カバーによって被覆可能である。ここで、背もたれ本体は、不作動位置から作動位置へ移動して、背もたれサイドチーク部を膨張状態にするように構成されている。ないしは、少なくとも１つの（適切ならば、可逆的に）膨張可能な本体が、背もたれサイドチーク部に設けられ、その少なくとも１つの膨張体の膨張によって背もたれサイドチーク部の膨張状態が形成または設定可能であるように構成可能である。
【００１３】
自動車シートの背もたれが、背もたれの基部体として背もたれフレームを有することが好ましく、この背もたれフレームに、背もたれサイドチーク部本体が、不作動位置から作動位置へ移動するように移動可能に取り付けられていることが好ましい。
【００１４】
本発明の一つの変更例では、背もたれサイドチーク部本体が、第１及び第２レバーを介して背もたれフレームに移動可能に取り付けられ、２つのレバーは、それぞれ一方の端部を介して背もたれサイドチーク部本体に回動可能に取り付けられ、かつ、他方の端部を介して背もたれフレームに回動可能に取り付けられている。
【００１５】
２つのレバーが、両端部を互いに一体的に接続するそれぞれの中央部を介して互いに相対回動可能に固定されていることが好ましい。あるいは、２つのレバーが、それぞれ背もたれサイドチーク部に沿った軸回りに回動可能に背もたれフレームに取り付けられ、背もたれサイドチーク部が、膨張方向に沿って膨張すると（すなわち、背もたれサイドチーク部本体の不作動位置から作動位置への移動時）、自動車シートに正しく着座している乗員の方向に移動するように構成されていることが好ましい。
【００１６】
背もたれサイドチーク部本体の運動を移動させるために、衝突前検知装置と連動する運動発生装置（「作動装置」とも称呼）が設けられている。当該運動発生装置は、支持構造の外側面への衝撃力の印加が検出されると、２つのレバーの少なくとも一方、とりわけ、両レバーを回動させて、背もたれサイドチーク部本体を不作動位置から作動位置へ移動するように構成されている。
【００１７】
回動可能なレバーによって直線移動可能に取り付ける方法に代わる方法として、案内手段が、背もたれサイドチーク部本体を背もたれフレームに直線移動可能に取り付けるために設けられる。案内手段は、背もたれフレームに膨張方向に沿って形成された少なくとも１つの長孔を有し、背もたれサイドチーク部本体側には、この長孔と係合したピンが設けられ、ピン、ひいては背もたれサイドチーク部本体が、不作動位置から作動位置へ膨張方向に沿って背もたれフレーム上を移動可能であるように構成されている。この２つの位置には、それぞれ少なくとも１つの長孔の閉鎖部が対応して設けられている。背もたれフレームにこのような長孔が２つ互いに平行に形成されていると好ましい。この場合、２つのピンは、背もたれサイドチーク部本体から突出し、それぞれの長孔に摺動係合している。
【００１８】
本発明の一つの変更例では、エアバッグパッケージを支持するモジュールサポートが設けられ、モジュールサポートは、少なくともエアバッグを備え、適切ならば、エアバッグを膨張させるためのガス発生装置を備えている。モジュールサポートは、平面状の構成であり、背もたれサイドチーク部に沿って延在する境界領域を有し、この境界領域には、背もたれサイドチーク部に沿って延在してエアバッグパッケージの収容体を形成する凸状湾曲部が設けられていることが好ましい。
【００１９】
モジュールサポートは、エアバッグパッケージを囲む剛性ハウジングとして構成され、衝突前検知装置が支持構造の外側面への衝撃力の印加を検出すると、背もたれサイドチーク部の外側面から支持構造の内側面に向かう移動方向に沿って第１位置から、延出した第２位置ヘと移動されるように構成されていることが好ましい。
【００２０】
ハウジングは、少なくとも一つの開口可能領域を有し、エアバッグが（開口可能領域が開口した状態で）自動車室内に展開可能とされている。モジュールサポートが、第１位置から第２位置ヘと移動する際に、開口可能領域は、支持構造の内側面と背もたれサイドチーク部の外側面との間に位置していることが好ましく、これによって、エアバッグは、支持構造の内側面と背もたれサイドチーク部の外側面との間に膨張方向に沿って（障害なく）自由に展開可能であるように構成されている。
【００２１】
モジュールサポート（ハウジング）を移動させるために、衝突前検知装置と連動する運動発生装置（作動装置）が設けられている。運動発生装置は、衝突前検知装置が支持構造の外側面への衝撃力の印加を検出すると、モジュールサポートを第１位置から第２位置へ移動するように構成されている。運動発生装置は、モジュールサポートを電気モータや空気圧で、または、火工的に（火薬を用いて）移動させることが可能である。
【００２２】
本発明の更なる実施の形態では、背もたれサイドチーク部本体がエネルギー吸収クッションを備えるか、あるいは、エネルギー吸収クッションとして構成されている。
【００２３】
背もたれサイドチーク部本体の作動位置において、前記クッションが、支持構造の内側面と、自動車シートに正しく着座している乗員の骨盤との間に膨張方向に対して交差する方向に配置されていることが好ましい。
【００２４】
本発明の一つの変更例では、クッションが、延伸方向に沿って縦方向に延在する第１アームを少なくとも介して、不作動位置から作動位置へ回動可能であるように自動車シートに取り付けられている。この場合、第１アームは、支持構造に面したクッションの外側面の中央に接続領域を介して強固に固定されているか、あるいは、移動可能に、特に回転可能に、前記外側面に取り付けられていることが好ましい。接続領域は、第１アームの中央部を介して第１アームの支持領域に接続され、第１アームは、この支持領域を介して、回転軸回りに回動可能であるように自動車シートの背もたれに接続されたシート部に取り付けられている。この回転軸は、自動車シートが自動車に装着された状態につき、車体横軸に対して平行であることが好ましい。
【００２５】
第１アームの自由第１端部が、接続領域から第１アームの延伸方向に沿って突出し、この第１端部が、クッションとともに背もたれサイドチーク部のフレーム構造を形成する可撓性の縦方向に延伸した背もたれサイドチーク支持部を介して、背もたれ（背もたれフレーム）に接続され、背もたれサイドチーク支持部は、クッションが不作動位置から作動位置へ移動すると、膨張方向に沿って縦方向の延伸に対して交差する方向に移動される。すなわち、クッションは、移動時に、背もたれサイドチーク支持部を携行して移動する。
【００２６】
背もたれ本体が不作動位置から作動位置へ移動するように第１アームを回転軸回りに回動させるには、第１アームの自由第２端部が、支持領域から延伸方向に沿って突出し、このような第１アームの回動のために、当該自由第２端部が、運動発生装置によって駆動される駆動輪と噛合した歯部を有する。運動発生装置は、衝突前検知装置と連動し、支持構造の外側面への衝撃力の印加が検出されると、駆動輪を駆動してクッションを不作動位置から作動位置へ移動するように構成されている。
【００２７】
歯部の代わりに、縦方向に延伸した連結要素が、第１アームの第２自由端部に作用し、第２自由端部が、運動発生装置の直線運動を第１アームに伝達して第１アームを回動させるように構成することも可能である。
【００２８】
不作動位置から作動位置へのクッションの移動を補助するために、第２アームが設けられていることが好ましい。第２アームは、第１自由端を介してクッションに取り付けられ、かつ、第１自由端の反対側の第２自由端を介して背もたれに取り付けられている。
【００２９】
一つの変更例では、クッションは、エアバッグを膨張させるためのガスを発生可能なガス発生装置を支持するサポートとして機能する。この場合、クッションは、ガス発生装置を収容していることが好ましく、それによって、第１に、ガス発生装置を損傷から保護し、第２に、保護対象の乗員をガス発生装置から保護する。
【００３０】
本発明の一つの実施形態では、エアバッグパッケージは、背もたれサイドチーク支持部に固定されている。この場合、背もたれサイドチーク支持部は、モジュールサポートの機能を果たす。
【００３１】
エアバッグは、膨張状態において、背もたれサイドチーク部を越えて膨張方向に沿って突出し、膨張状態において、背もたれサイドチーク部の前方境界部から車体中央に向かって膨出することが好ましい。これは、特に、前方への成分が比較的大きい側面衝突の際に、乗員の拘束の向上に寄与する。
【００３２】
本発明の一つの変更例では、エアバッグは、第１チャンバと、第１チャンバを囲む第２チャンバを有し、第１チャンバには、少なくとも１つの連通口が設けられ、これによって、第１チャンバ内に導入されたガスは、連通口から第２チャンバに流入し、エアバッグは、第１チャンバを介してガスが充填されるように構成されている。
【００３３】
越流部断面（連通口）の形状が適切であるとすると、外側の第２チャンバにガスが充填される前でも内側の第１チャンバは高圧になるため、エアバッグは、比較的速い段階で背もたれサイドチーク部を介して乗員に作用することが可能である。ガス発生装置からのガスの供給が減少して無くなると、エアバッグの第１チャンバと第２チャンバの圧力が等しくなり、外側の第２チャンバのみが、背もたれサイドチーク部を介して乗員に平面状に作用する。
【００３４】
本発明の更なる実施形態では、自動車シートが、車体横軸に対して平行に車室内に向かって移動可能であるか、あるいは、車体長手軸に対して平行な車軸回りに回転可能である。それぞれ対応する運動発生装置が、衝突前検知装置を介して起動される。自動車シートの移動又は回転によって、更なる吸収路が、自動車シートに着座している乗員と支持構造との間に形成され、それぞれ対応するエアバッグを介して乗員の効果的な保護が可能となる。ここでは、自動車シートは、受動的であってもよい。すなわち、エアバッグによってシートに加わる反力によって、シートが移動するようにしてもよい。
【００３５】
本発明の別の実施形態では、このような更なる吸収路、または、支持構造と自動車シートとの間のエアバッグの展開スペースの維持は、車体横軸に沿って変形可能な自動車シートによって確保されることが好ましい。すなわち、自動車シート、特に、背もたれ又は背もたれサイドチーク部は、膨張するエアバッグが、支持構造に支持され、自動車室内に向かう反力を自動車シートに伝達する際に、車体横軸に沿って制御された態様で変形するように構成されている。
【００３６】
ガス発生装置と連動する衝突センサが設けられていることが好ましく、衝突センサは、支持構造の外側面への力の印加が検出されると、ガス発生装置を作動させてエアバッグを膨張させる。衝突センサは、実際に力の印加が生じていることを検知する検知装置であることが好ましい。適切ならば、衝突センサは、前記の衝突前検知装置であってもよい。ガス発生装置は、背もたれサイドチーク部の調整（膨張）後、または、車体横軸に沿って延出可能なエアバッグハウジングの延出後に、衝突センサによって起動されることが好ましい。
【００３７】
本発明では、支持構造は、側部自動車ボディーの一部または一領域、特に、自動車ドアまたは自動車ピラー（例えば、Ｂピラー）である。自動車シートは、運転席または助手席であることが好ましい。
【００３８】
本発明の更なる特徴及び利点は、図に係る、実施形態に関する以下の記述により明らかにされる。
【発明を実施するための最良の形態】
【００３９】
図７Ａは、図７Ｂとともに、運転席として構成された背もたれ３を有する自動車シート２を備えた乗員拘束装置１を示している。背もたれ３は、自動車に装着された状態につき、車体の長手軸ｘと横軸ｙとによって規定される延在面に沿って延在してシート面を形成するシート部６０（図示されていない）上において、車体横軸ｙに対して平行な車体軸回りに回動（傾斜角を変化）可能であるように取り付けられている。
【００４０】
乗員拘束装置１は、外部空間Ａから支持構造５の外側面５ａに対して車体の横軸ｙ方向に少なくとも１つの成分を有する方向に加えられる力に対して、自動車シート２に着座している乗員Ｐを保護する働きをする。通常、衝突物体（例えば、自動車）が自動車の側面ボディー（この場合、支持構造５の外側面５ａ）に衝突する側面衝突の場合に、このような力の印加が生じる。
【００４１】
自動車シート２の背もたれ３は、自動車シート２に正しく（通常の着座状態で）着座している乗員Ｐの支持面を形成している。当該支持面は、背もたれ３をまっすぐに立てた状態で、垂直車軸ｚに対して平行な車軸と、車体横軸ｙに対して平行な車軸とによって規定される延在面に沿って延在している。背もたれサイドチーク部４は、背もたれ３の直立状態では、垂直車軸ｚに沿って長手方向に延伸するように延在し、背もたれ３に沿って延在する背もたれ３の境界領域の両側において背もたれ３から突出形成されている。
【００４２】
運転席として構成された自動車シート２の場合、２つの背もたれサイドチーク部４のうちの一方は、支持構造５に隣接している。ここでは、支持構造５は、（側部）ドア構造であり、ＢピラーまたはＢピラーの一部を有していてもよい。
【００４３】
この背もたれサイドチーク部４は、支持構造５が自動車に組み込まれた状態につき、支持構造５の自動車室内Ｉに面する内側面５ｂに面して外側面４ａを有し、車体横軸ｙ方向において支持構造５に対向配置されている。
【００４４】
背もたれサイドチーク部４の外側面４ａと支持構造５の内側面５ｂとの間で膨張するエアバッグ６を予め位置決めするために、背もたれサイドチーク部４は、背もたれ３の基本フレーム構造を形成する背もたれフレームＬに移動可能に取り付けられた背もたれサイドチーク部本体Ｋを有し、背もたれサイドチーク本体Ｋが、直進方向に向いた膨張方向Ｒに沿って不作動位置から作動位置へ移動可能であるように構成されている。これによって、背もたれサイドチーク部４が膨張方向Ｒに膨張する。
【００４５】
移動可能な背もたれサイドチーク部４は、エアバッグ６とエアバッグ６に収容されたガス発生装置Ｇとによって形成されたエアバッグパッケージＭのモジュールサポートＴを有している。モジュールサポートＴは、平面状に（例えば、金属板で）形成され、背もたれ３の直立状態では、垂直車軸ｚに沿って延在する。この場合、モジュールサポートＴは、（支持構造５から見て）凸状に湾曲した境界領域Ｔ’を有し、この湾曲によって、エアバッグパッケージＭの収容体を形成する。この収容体は、少なくとも断面においてエアバッグパッケージＭまわりに係合している。
【００４６】
背もたれサイドチーク部４を膨張させるために、モジュールサポートＴは、第１レバーＨおよび第２レバーＨ’を介して、正確には、背もたれ３の直立状態につき垂直車軸ｚに対して平行な軸回りに、背もたれ３の背もたれフレームＬに回動可能に取り付けられ、モジュールサポートＴが、図７Ａに示された不作動位置から作動位置（図７Ｂ参照）の方向へ（ここでは車体長手軸ｘに対して平行な）膨張方向Ｒに沿った回動時に、車体横軸ｙに沿って自動車シート２に着座している乗員Ｐの方に接近するように構成されている。モジュールサポートＴとこれに取り付けられたエアバッグパッケージＭ、および、モジュールサポートＴを背もたれフレームＬに連結するためのレバーＨ，Ｈ’は、カバー材（例えば発泡材）によって囲まれている。このカバー材は、被覆した構成部品とともに、自動車シート２の調節可能な背もたれサイドチーク部４を構成する。
【００４７】
差し迫る急迫の側面衝突、すなわち、支持構造５の外側面５ａに力が加わり、車体横軸ｙ方向の成分を有する力が加わることを検出するために、このような力の作用が検出された場合に運動発生装置Ｂを起動する衝突前検知装置７が設けられている。運動発生装置Ｂは、背もたれサイドチーク部本体Ｋを作動位置へ回動させて、背もたれサイドチーク部４が膨張方向に延伸し、背もたれサイドチーク部４の外側面４ａと反対側の内側面４ｂが、乗員Ｐの支持面を形成するように構成されている（図２Ａ参照）。
【００４８】
背もたれサイドチーク部４の展開後、衝突センサ７は、衝突（すなわち、支持構造５の外側面５ａに特定の力が作用したこと）を検知すると、図２Ｂに示されているように、ガス発生装置Ｇを起動してエアバッグ６を膨張させる。適切ならば、衝突センサ７は、衝突前検知装置７であってもよい。
【００４９】
エアバッグ６は、膨張すると、支持構造５の内側面５ｂ上に支持され、反力Ｆが背もたれサイドチーク部４に作用する。この反力Ｆは、乗員Ｐに平面状に当接している背もたれサイドチーク部４の内側面４ｂを介して乗員Ｐに伝達される。
【００５０】
図２Ａ〜２Ｃは、図１Ａ〜１Ｃに示されているようなシーケンスを示しているが、図１Ａ〜１Ｃとは異なり、衝突前検知装置である衝突センサ７によってガス発生装置Ｇが早い段階で起動されるため、（例えば、衝突物体が外部空間Ａから支持構造５の外側面５ａに衝突することによる）支持構造５の侵入開始前でも、エアバッグ６は、背もたれサイドチーク部４を介して乗員Ｐに作用する。これによって、支持構造５（例えば、ドア構造）と乗員Ｐとの間のスペースは、乗員を保護すべく能動的に拡大可能である。
【００５１】
図３Ａ〜３Ｃに示されている背もたれサイドチーク部の作動シーケンスでは、図１Ａ〜１Ｃとは異なり、２つのチャンバ６ａ，６ｂを有するエアバッグ６が用いられている。この場合、まず外側の第２チャンバ６ｂ内に配置されている内側の第１チャンバ６ａにガスが充填される。２つのチャンバ６ａ，６ｂは、少なくとも１つの連通口を介して互いに接続されている。第１チャンバ６ａは、容量が比較的小さいために、非常に早く膨張して硬くなるので、自動車シート２と支持構造５との迅速な機械的連結が第１チャンバ６ａを介して可能となる。この連結の速度は、容量、および、第１チャンバ６ａとそれを囲む第２チャンバ６ｂとの間の越流部断面積（連通口の大きさ）によって設定可能であり、有利である。
【００５２】
図１Ａ〜１Ｃに示されている背もたれサイドチーク部の膨張／エアバッグ作動シーケンスとは異なり、図４Ａ〜４Ｃでは、自動車シート２は、更に、自動車フロアに取り付けられ、車体横軸ｙに沿って移動可能であり、運動発生装置Ｂ’’’によって支持構造５から遠ざけることが可能なように構成されている。この場合、運動発生装置Ｂ’’’は、側面衝突が検出された場合に、運動発生装置Ｂ’’’と連動して運動発生装置Ｂ’’’を作動させる衝突前検知装置７を介して作動する。
【００５３】
前方への成分が大きい（すなわち、衝突物体の車体横軸ｙに沿った移動方向の成分が車体長手軸ｘに沿った移動方向の成分よりも小さい）側面衝突の際に、乗員Ｐの保護を強化するために、図５Ａ〜５Ｃに示されているように、エアバッグ６は、更に、膨張状態において、少なくとも部分的に車体横軸ｙに沿って乗員Ｐの前方に突き出るように構成されている。
【００５４】
図６Ａ〜６Ｃは、図１Ａ〜１Ｃに示されている乗員拘束装置１の作動の順序が示されているが、図１Ａ〜１Ｃとは異なり、モジュールサポートＴ’’が、エアバッグ６とガス発生装置Ｇ（図６Ａ〜６Ｃには示されていない）を収容する剛性ハウジングとして構成されている。モジュールサポートＴ’’は、外部空間Ａから支持構造５の外側面５ａに作用する力から乗員Ｐを保護するために、更に、車体横軸ｙに沿って直線移動可能であるように、背もたれサイドチーク部４、正確には、背もたれフレームＬに取り付けられ、ハウジングＴ’’が、自動車シート２の背もたれサイドチーク部４内に完全に配置されている第１位置から、好ましくは、車体横軸ｙに沿って支持構造５の内側面５ｂを押し付けることによって、支持構造５に機械的に連結された第２位置へ移動可能であるように構成されている。これは、車体横軸ｙ方向に運動成分を有す衝突物体が外部空間Ａから支持構造５の外側面５ａに衝突した場合、その侵入を防ぎ、ひいては、支持構造５の内側面５ｂと背もたれサイドチーク部４の外側面４ａとの間の吸収路の閉鎖を防ぐ。
【００５５】
更に、ハウジングＴ’’は、第２位置に移動すると、支持構造５の内側面５ｂに押し付けられ、力が自動車シート２に伝導されて自動車シート２を車体横軸ｙに沿って車室内Ｉ側に移動させる。これによって、有効な吸収路が拡大して乗員Ｐを保護する。
【００５６】
第１位置から第２位置へ移動することによって支持構造５の内側面５ｂに当接するハウジングＴ’’の当接面は、特に安定した構成であり、支持構造５との良好な機械的連接が可能である。不作動位置では、この当接面は、支持構造５に面する背もたれサイドチーク部４の外側面４ａに面一に埋設されていることが好ましい。
【００５７】
更に、ハウジングＴ’’が第２位置へ移動することによって（図６Ｃ参照）、ハウジングＴ’’の開口可能領域２０（エアバッグ６は、開口可能領域２０の開口状態において、開口可能領域２０から自動車室内Ｉに展開可能である）は、支持構造５と自動車シート２との間に車体横軸ｙに沿って位置するため、エアバッグ６は、開口可能領域２０（開口状態）から車体長手軸ｘに沿って（障害なく）自由に展開可能となり、侵入する衝突物体から乗員Ｐを保護する。
【００５８】
エアバッグ６のハウジングＴ’’が、ちょうどいいタイミングで移動可能であるようにするために、運動発生装置Ｂ’’は、差し迫る側面衝突を検出するとハウジングＴ’’を第２位置へ移動する衝突前検知装置７に連結されている。
【００５９】
図８Ａは、図８Ｂとともに、図７Ａおよび図７Ｂに示されている乗員拘束装置１の変更例を示している。図７Ａ、７Ｂとは異なり、エアバッグパッケージＭを備えた背もたれサイドチーク部本体Ｋは、背もたれフレームＬに、回動可能にではなく、直線移動可能に取り付けられている。
【００６０】
そのために、一方の端部Ｅを介して背もたれサイドチーク部本体Ｋに回動可能に取り付けられ、他方の端部を介して自動車シートの背もたれフレームＬに回動可能に取り付けられた第１レバーＨは、背もたれサイドチーク部本体Ｋの上部（垂直車軸ｚに対して）から延出し、背もたれフレームＬ上の第１レバーＨの支持点は、垂直車軸ｚに沿って背もたれサイドチーク部側の支持点よりも下方に配置されている。
【００６１】
背もたれフレームＬに背もたれサイドチーク部本体Ｋを直線移動可能に取り付けるために、更に、第２レバーＨ’が設けられ、第２レバーＨ’も、背もたれサイドチーク部本体Ｋを背もたれフレームＬに接続している。この場合、第２レバーＨ’は、一方の端部Ｅが垂直車軸ｚに沿って背もたれサイドチーク部本体Ｋの下部に回動可能に取り付けられ、他方の端部Ｅ’が背もたれフレームＬに、第１レバーＨの他方端部Ｅ’より上方に回動可能に取り付けられている。従って、第１レバーＨの中央部分１０は、第２レバーＨ’の中央部分１０に交差し、両中央部分１０が互いに相対回転可能に接続されている。両レバーＨ，Ｈ’が、背もたれサイドチーク部本体Ｋおよび背もたれフレームＬに回動可能に固定されている軸、および、両レバーが互いに回動可能に固定されている軸は、互いに平行で、車体横軸ｙに沿って延在している。このようにして、背もたれサイドチーク部本体Ｋは、背もたれフレームＬに取り付けられ、車体長手軸ｘ（膨張方向Ｒ）に沿って移動可能となる。背もたれサイドチーク部本体Ｋは、２つのレバーＨ，Ｈ’が垂直車軸ｚに沿って互いにほぼ平行に延在する不作動位置（図８Ａ参照）から、２つのレバーＨ，Ｈ’が車体長手軸ｘに沿った向きに配置される作動位置（図８Ｂ参照）へ、運動発生装置Ｂを介して移動する。運動発生装置Ｂは、衝突前検知装置７と連動し、例えば、２つのレバーＨ，Ｈ’のうちの一方に、または、直接、背もたれサイドチーク部本体Ｋに作用可能である。
【００６２】
図９Ａは、図９Ｂとともに、図７Ａ〜図８Ｂに示されている乗員拘束装置１の更なる変更例を示している。背もたれサイドチーク部本体Ｋは、円形の平面クッション３０として構成され、クッション３０を囲む背もたれサイドチーク部４（図９Ａ、９Ｂには図示されていない）を膨張させるために、ほぼ水平なシート面を形成する自動車シート２のシート部６０に、延伸方向４０に沿って延在する第１アーム５０を介して、車体横軸ｙに対して平行な回転軸Ｄまわりに取り付けられている。従って、第１アーム５０が直進方向に回動すると、クッション３０は、車体長手軸ｘ（膨張方向Ｒ）に沿って移動して、背もたれサイドチーク部４が、車体長手軸ｘに沿って膨張する。クッション３０は、エネルギー吸収材、特に、発泡材で形成されていることが好ましく、動作位置では、自動車シート２に着座している乗員Ｐの骨盤の高さに垂直車軸ｚに沿って配置され、侵入する物体から乗員Ｐを保護する。
【００６３】
シート部６０に回動可能に取り付けるために、第１アーム５０は、接続領域５１を介して、支持構造５の内側面５ｂに面するクッションの外側面３５の中央に強固に接続される。しかし、この接続部は、回動時にクッション３０が空間における角度位置を保持可能であるように、回転可能に構成してもよい。接続領域５１は、第１アーム５０の中央部５２を介して第１アーム５０の支持領域５３に接続され、第１アーム５０は、支持領域５３を介して、シート部６０の側方、正確には、シート部の支持構造５に面する側に、回転軸Ｄ回りに回動可能であるように取り付けられている。
【００６４】
可撓性の縦方向に延伸した背もたれサイドチーク支持部７０が、接続領域５１から延出し、アーム５０の第１自由端部５４を介して、アーム５０または接続領域５１に接続されている。背もたれサイドチーク支持部７０は、クッション３０とともに、背もたれサイドチーク部４のフレーム構造を形成し、自動車シートに正しく着座している乗員Ｐの胸部とほぼ同じ高さで、背もたれフレームＬに接続されている。従って、背もたれサイドチーク支持部７０は、（適切ならば）可撓性エアバッグパッケージＭを支持する働きも有して有利である。クッション３０が車体長手軸ｘに沿って作動位置に移動すると、これとともに背もたれサイドチーク支持部７０も帯同状に移動し、伸張する。
【００６５】
第１アーム５０を回転軸Ｄ回りに回動させるには、支持領域５３が、第１アーム５０の第２自由端部５５に一体状に接続されることが好ましい。第２自由端部５５は、歯部として構成され、第１アーム５０を回動させるために、衝突前検知装置７と連動する運動発生装置Ｂ’によって駆動される駆動輪８０と噛合する。運動発生装置Ｂ’は、衝突前検知装置７と連動し、差し迫る側面衝突を検出すると、駆動輪８０を駆動してクッション３０を動かすように構成されている。
【００６６】
不作動位置から作動位置へのクッション３０の移動を補助するために、第２アーム６５が設けられていることが好ましい。第２アーム６５は、第１自由端６６を介してクッション３０の境界領域に取り付けられ、かつ、第１自由端６６の反対側の第２自由端６７を介して背もたれ３、正確には、背もたれフレーム８に取り付けられている。この場合、第２アーム６５は、車体横軸ｙに対して平行な軸の回りに回転可能に取り付けられている。
【００６７】
図１０Ａは、図１０Ｂとともに、図９Ａ、９Ｂに示されているタイプの別の乗員拘束装置１を示している。図９Ａ、９Ｂとは異なり、第２アーム６５は設けられていない。運動発生装置Ｂ’と衝突前検知装置７は、図９Ａ、９Ｂと同様に構成されているが、図１０Ａ、１０Ｂには図示されていない。
【００６８】
ここで用いられている運動発生装置Ｂ，Ｂ’，Ｂ’’，Ｂ’’’は、可逆的にも非可逆的にも（例えば火工的に、すなわち火薬を用いて）動作可能である。原則的に、適切な運動発生装置としては、スプリング、ガス発生装置、電気モータ、空気圧がある。
【００６９】
要約すると、本発明による解決手段は、特に、次のような利点をもたらす。背もたれサイドチーク部または保護する乗員に比較的強い力を力のピークなしで平面状に伝達することによる保護能力の向上。このような力の比較的速い段階での伝達。適切ならば、エアバッグ６の吸収路の拡大、および、エアバッグ６を予め位置決めすることによる展開信頼性の増大。乗員Ｐの自動車シート２との連結の向上。適切ならば、背もたれサイドチーク部とエアバッグ６の位置決めの可逆性。本発明による乗員拘束装置１は、衝突前検知装置（例えば、レーダ）を装備しているあらゆる自動車に使用可能である。
【図面の簡単な説明】
【００７０】
【図１Ａ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示されている。
【図１Ｂ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示されている。
【図１Ｃ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示されている。
【図２Ａ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが、明らかに側面構造（支持構造）の侵入前に起動された状態を示している。
【図２Ｂ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが、明らかに側面構造（支持構造）の侵入前に起動された状態を示している。
【図２Ｃ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが、明らかに側面構造（支持構造）の侵入前に起動された状態を示している。
【図３Ａ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、特に迅速なエアバッグの位置決めを達成可能にするために、エアバッグには２つのチャンバが設けられている。
【図３Ｂ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、特に迅速なエアバッグの位置決めを達成可能にするために、エアバッグには２つのチャンバが設けられている。
【図３Ｃ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、特に迅速なエアバッグの位置決めを達成可能にするために、エアバッグには２つのチャンバが設けられている。
【図４Ａ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、自動車シートが更に運動発生装置によって支持機構から離間する方向に移動可能である。
【図４Ｂ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、自動車シートが更に運動発生装置によって支持機構から離間する方向に移動可能である。
【図４Ｃ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、自動車シートが更に運動発生装置によって支持機構から離間する方向に移動可能である。
【図５Ａ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが、前方への成分が大きい事故の際に保護効果を高めるために乗員の前方に膨出する。
【図５Ｂ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが、前方への成分が大きい事故の際に保護効果を高めるために乗員の前方に膨出する。
【図５Ｃ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが、前方への成分が大きい事故の際に保護効果を高めるために乗員の前方に膨出する。
【図６Ａ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが背もたれサイドチーク部から突出可能なハウジング内に配置されている。
【図６Ｂ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが背もたれサイドチーク部から突出可能なハウジング内に配置されている。
【図６Ｃ】乗員拘束装置の概略上面図であり、展開可能な背もたれサイドチーク部と背もたれサイドチーク部に配置されたエアバッグとを有し、背もたれサイドチーク部の作動後の３つの異なるタイミングが示され、エアバッグが背もたれサイドチーク部から突出可能なハウジング内に配置されている。
【図７Ａ】乗員拘束装置の概略上面図であり、展開可能な背もたれサイドチーク部と背もたれサイドチーク部の背もたれサイドチーク部本体とを有し、背もたれサイドチーク部本体は、背もたれサイドチーク部を不作動位置（図７Ａ）から作動位置（図７Ｂ）まで膨張させるように、背もたれフレームに回動可能に取り付けられている。
【図７Ｂ】乗員拘束装置の概略上面図であり、展開可能な背もたれサイドチーク部と背もたれサイドチーク部の背もたれサイドチーク部本体とを有し、背もたれサイドチーク部本体は、背もたれサイドチーク部を不作動位置（図７Ａ）から作動位置（図７Ｂ）まで膨張させるように、背もたれフレームに回動可能に取り付けられている。
【図８Ａ】乗員拘束装置の概略側面図であり、展開可能な背もたれサイドチーク部と背もたれサイドチーク部の背もたれサイドチーク部本体とを有し、背もたれサイドチーク部本体は、背もたれサイドチーク部を不作動位置（図８Ａ）から作動位置（図８Ｂ）まで膨張させるように、背もたれフレームに直線移動可能に取り付けられている。
【図８Ｂ】乗員拘束装置の概略側面図であり、展開可能な背もたれサイドチーク部と背もたれサイドチーク部の背もたれサイドチーク部本体とを有し、背もたれサイドチーク部本体は、背もたれサイドチーク部を不作動位置（図８Ａ）から作動位置（図８Ｂ）まで膨張させるように、背もたれフレームに直線移動可能に取り付けられている。
【図９Ａ】乗員拘束装置の概略側面図であり、展開可能な背もたれサイドチーク部と背もたれサイドチーク部の背もたれサイドチーク部本体とを有し、背もたれサイドチーク部本体は、クッションとして構成され、背もたれサイドチーク部を不作動位置（図９Ａ）から作動位置（図９Ｂ）まで膨張させるように、背もたれフレームに回動可能に取り付けられている。
【図９Ｂ】乗員拘束装置の概略側面図であり、展開可能な背もたれサイドチーク部と背もたれサイドチーク部の背もたれサイドチーク部本体とを有し、背もたれサイドチーク部本体は、クッションとして構成され、背もたれサイドチーク部を不作動位置（図９Ａ）から作動位置（図９Ｂ）まで膨張させるように、背もたれフレームに回動可能に取り付けられている。
【図１０Ａ】図９Ａ、９Ｂに示されているタイプの乗員拘束装置の変更例を示す概略側面図である。
【図１０Ｂ】図９Ａ、９Ｂに示されているタイプの乗員拘束装置の変更例を示す概略側面図である。
【図１Ａ】
2009520627.tif 000003
【図１Ｂ】
2009520627.tif 000004
【図１Ｃ】
2009520627.tif 000005
【図２Ａ】
2009520627.tif 000006
【図２Ｂ】
2009520627.tif 000007
【図２Ｃ】
2009520627.tif 000008
【図３Ａ】
2009520627.tif 000009
【図３Ｂ】
2009520627.tif 000010
【図３Ｃ】
2009520627.tif 000011
【図４Ａ】
2009520627.tif 000012
【図４Ｂ】
2009520627.tif 000013
【図４Ｃ】
2009520627.tif 000014
【図５Ａ】
2009520627.tif 000015
【図５Ｂ】
2009520627.tif 000016
【図５Ｃ】
2009520627.tif 000017
【図６Ａ】
2009520627.tif 000018
【図６Ｂ】
2009520627.tif 000019
【図６Ｃ】
2009520627.tif 000020
【図７Ａ】
2009520627.tif 000021
【図７Ｂ】
2009520627.tif 000022
【図８Ａ】
2009520627.tif 000023
【図８Ｂ】
2009520627.tif 000024
【図９Ａ】
2009520627.tif 000025
【図９Ｂ】
2009520627.tif 000026
【図１０Ａ】
2009520627.tif 000027
【図１０Ｂ】
2009520627.tif 000028
【国際調査報告】
2009520627.tif 000029
2009520627.tif 000030
2009520627.tif 000031
2009520627.tif 000032
2009520627.tif 000033
2009520627.tif 000034